(57)【要約】【課題】  騒音をより低減することが可能な防音扉を提供する。【解決手段】  開口部を閉じる防音扉２８は、扉本体と、シール機構４０を備えている。そのシール機構４０は、ローラ４４と、ローラ４４を所定領域内で移動可能に支持する手段４２、４３と、ローラ４４の外周面を防音扉２８によって閉じる開口部の開口縁６４に押付ける手段４６とを有している。  この防音扉２８は、シール機構４０の支持手段４２、４３がローラ４４を所定領域内で移動可能に支持した状態で、押付手段４６がローラ４４の外周面を防音扉２８によって閉じる開口部の開口縁６４に押付ける。このため、ローラ４４は、その外周面が開口縁６４と密着する位置まで移動し、その状態で安定する。従って、騒音がより低減される。【選択図】  図８
2005305478.tif 000002
【特許請求の範囲】
【請求項１】
開口部を閉じる防音扉であり、扉本体とシール機構を備え、
そのシール機構は、ローラと、ローラを所定領域内で移動可能に支持する手段と、ローラの外周面を防音扉によって閉じる開口部の開口縁に押付ける手段を有することを特徴とする防音扉。
【請求項２】
複数の防音扉が隣接して配置されている防音扉セットであり、
一方の防音扉の扉本体に装着されたシール機構が、ローラと、ローラを所定領域内で移動可能に支持する手段と、ローラの外周面を隣接する防音扉の端縁に押付ける手段を有することを特徴とする防音扉セット。
【請求項３】
複数の防音扉が隣接して配置されている防音扉セットであり、
各々の防音扉の扉本体に装着されたシール機構が、ローラと、ローラを所定領域内で移動可能に支持する手段と、ローラの外周面を隣接する防音扉のローラに押付ける手段を有することを特徴とする防音扉セット。
【請求項４】
押付け合うローラとローラの軸同士が、防音扉の開閉方向に偏心していることを特徴とする請求項３に記載の防音扉セット。
【請求項５】
請求項２〜４のいずれかに記載の防音扉セットを有するプレス装置。
【発明の詳細な説明】
【技術分野】
【０００１】
本発明は、防音扉に関するものである。詳しくは、プレス機の騒音低減用の防音壁に装着される防音扉に関するものである。
【背景技術】
【０００２】
防音壁に装着される防音扉が知られている。例えば、プレス機の防音壁には、複数の防音扉が隣合った状態で装着されている。防音扉を開けると、プレス機各部の作動状態の確認等を行うことができる。隣合う防音扉と防音扉の間には、プレス機の騒音をできるだけ低減するために、高いシール性が求められている。
図１４は、隣合う防音扉１０２、１２０の端部断面を図示している。防音扉１０２、１２０は、独立に開閉することができ、矢印方向に移動すると開かれる。一方の防音扉１０２には、シール機構１０４が装着されている。シール機構１０４は、支持台１０６、ピン１０８、ヒンジ１１０、シール部材１１２、スプリング（図示省略）を備えている。支持台１０６は、扉本体１０３に固定されている。ヒンジ１１０は、図１４の紙面直角方向に延びるとともに、ピン１０８を介して支持台１０６に回動可能に装着されている。シール部材１１２は、ヒンジ１１０に固定されており、ヒンジ１１０の長手方向に延びている。シール部材１１２は樹脂製である。スプリングは、ヒンジ１１０をピン１０８回りに時計方向に付勢している。他方の防音扉１２０には、シール面１２２が形成されている。このように構成されているので、防音扉１０２のシール機構１０４のシール部材１１２は、その長手方向に沿って防音扉１２０のシール面１２２に接触し、防音扉１０２、１２０同士をシールする。
【０００３】
【特許文献１】特開平６−１２６３５１号公報
【発明の開示】
【発明が解決しようとする課題】
【０００４】
上述したように、シール機構１０４のヒンジ１１０は、ピン１０８を介して支持台１０６に装着されている。従って、ヒンジ１１０に固定されているシール部材１１２は、ピン１０８回りにのみ回動可能なように、その動きが規制されている。このため、支持台１０６に対するヒンジ１１０の装着上の誤差や、防音扉１０２、１２０の取付誤差等の要因によって、シール部材１１２とシール面１２２との間に隙間が発生することがある。シール部材１１２とシール面１２２との間に隙間が発生すると、騒音の低減効果が小さくなってしまう。
本発明は、かかる問題を解決するためになされたものであり、騒音をより低減することが可能な防音扉を提供することを課題とする。
【課題を解決するための手段】
【０００５】
本発明の防音扉は、開口部を閉じるものであり、扉本体とシール機構を備えている。そのシール機構は、ローラと、ローラを所定領域内で移動可能に支持する手段と、ローラの外周面を防音扉によって閉じる開口部の開口縁に押付ける手段を有する。
この防音扉は、シール機構の支持手段がローラを所定領域内で移動可能に支持した状態で、押付手段がローラの外周面を防音扉によって閉じる開口部の開口縁に押付ける。このため、ローラは、その外周面が開口縁と密着する位置まで移動し、その状態で安定する。従って、騒音がより低減される。
【０００６】
本発明の防音扉セットは、複数の防音扉が隣接して配置されている。そして、一方の防音扉の扉本体に装着されたシール機構が、ローラと、ローラを所定領域内で移動可能に支持する手段と、ローラの外周面を隣接する防音扉の端縁に押付ける手段を有している。
この防音扉セットの防音扉によれば、シール機構の支持手段がローラを所定領域内で移動可能に支持した状態で、押付手段がローラの外周面を隣接する防音扉の端縁に押付ける。このため、ローラは、その外周面が隣接する防音扉の端縁と密着する位置まで移動し、その状態で安定する。よって、騒音がより低減される。
【０００７】
本発明の他の１つの防音扉セットは、複数の防音扉が隣接して配置されている。そして、各々の防音扉の扉本体に装着されたシール機構が、ローラと、ローラを所定領域内で移動可能に支持する手段と、ローラの外周面を隣接する防音扉のローラに押付ける手段を有している。
このように構成されていると、隣接する防音扉のローラ同士は、互いの外周面が密着する位置まで移動し、その状態で安定する。よって、騒音がより低減される。
【０００８】
上記の防音扉セットにおいて、押付け合うローラとローラの軸同士が、防音扉の開閉方向に偏心していることが好ましい。
ローラとローラの軸同士が、防音扉の開閉方向に偏心していると、ローラとローラが防音扉の開閉直角方向に重なり合った状態で密着する。よって、騒音がより低減される。
【０００９】
プレス装置は、上記の防音扉セットを有している。
このプレス装置によれば、プレス装置が発する騒音をより低減することができる。
【発明を実施するための最良の形態】
【００１０】
後述する実施例の主要な特徴を記載する。
（１）防音扉は、水平方向に隣合った状態で、防音壁に装着されている。防音壁は、プレス機の前面に設置されている。防音扉を開くときには、上端部に設けられたヒンジ回りに回動させて上方に引き上げる。
（２）シール機構は、防音扉の側部に装着されている。シール機構は、外側ケース部材、内側ケース部材、押圧部材、シール部材、スプリング等を備えている。外側ケース部材と内側ケース部材によって、上下方向に延びるスリット状の開口部を持つ内部空間が形成される。シール部材はローラ状に形成されており、押圧部材を介してスプリングに付勢された状態で、その外周面の一部が開口部から外部に露出している。
（３）防音扉が閉じられると、隣合うシール機構のシール部材同士は、開口部から露出した互いの外周面が軸方向に沿って密着する位置まで移動し、その状態で安定する。シール部材同士が密着すると、高い防音効果が得られる。
【実施例】
【００１１】
本発明の防音扉に係る一実施例について、図面を参照しながら説明する。
図１、図２に示すように、防音扉２３〜３２は、水平方向に隣合って配置された状態で、防音壁１２に装着されている。防音壁１２は、プレス機１１の前面に配置されている。なお、防音扉１２は、プレス機１１の後面や側面に配置されることもある。防音壁１２は、２枚のドア１３、１４を備えている。防音扉２３は、上端部がヒンジ１８によってドア１３に取付けられている。防音扉３２は、ドア１４に取付けられている。防音扉２４〜３１は、防音壁本体１２ａに取付けられている。ドア１３、１４には、内部監視用の窓１７が設けられている。防音壁本体１２ａにも、内部監視用の窓１６が２つ設けられている。
防音扉２３〜３２には、取っ手１５が設けられている。取っ手１５を操作すると、防音扉２３〜３２をロック状態とアンロック状態に切り換えることができる。防音壁２３〜３２を開くときには、取っ手１５を操作してロックを解除し、防音扉２３〜３２をヒンジ１８回りに回動させて上方に引き上げる。
図１は、左から３、４，５枚目の防音扉２５、２６、２７が開かれた状態を図示している。開位置保持機構（図示省略）が設けられており、開かれた防音扉２５、２６、２７をそのままの状態に保持することができる。防音扉２５、２６、２７が開かれた部分に、シュート２１が設置されている。シュート２１は、プレス機１１が加工したワークを防音壁１２の前方に配置されたワーク収容箱２０まで搬出する。シュート２１の設置位置は、開く防音扉２３〜３２を選択して変更することができる。シュート２１を設置しない場合には、防音扉２３〜３２は全て閉じておく。また、プレス機１１の点検／整備を行う場合には、点検／整備箇所近傍の防音扉２３〜３２を開く。
【００１２】
シール機構は、防音扉２３〜３２の側部に装着されている。図３は、隣合う防音扉に装着されたシール機構の縦断面図を図示している。以下においては、説明の便宜上、図３のシール機構は、防音扉２８と防音扉２９に装着されたものであるとする。また、防音扉２８に装着されているのを左シール機構４０、防音扉２９に装着されているのを右シール機構４１と呼ぶ。
図４に示されているように、左シール機構４０は、外側ケース部材４２、内側ケース部材４３、押圧部材４５、シール部材４４、スプリング４６、ボルト４７、ナット４８、ボルト４９、ナット５０を備えている。図４の上方が内方側（プレス機１１側）であり、下方が外方側である。外側ケース部材４２は、上下方向（図４の紙面直角方向）に延びており、溶接によって防音扉２８に固定されている。内側ケース部材４３も上下方向に延びており、ボルト４９とナット５０で外側ケース部材４２に締結されている。ナット５０は、溶接で外側ケース部材４２に固定されている。外側ケース部材４２と内側ケース部材４３が締結されていることによって、それらで囲まれるとともに、上下方向に延びるスリット状の開口部５２を持つ内部空間５１が形成される。ナット４８は、溶接によって防音扉２８に固定されている。ボルト４７は、ナット４８にネジ込まれている。押圧部材４５は、ボルト４７に対して、その軸方向にスライド可能に装着されている。スプリング４６には、ボルト４７が差し込まれている。スプリング４６は、押圧部材４５と外側ケース部材４２との間に介装されている。
シール部材４４はローラ状（円筒状）に形成されており、押圧部材４５を介してスプリング４６に付勢された状態で、その外周面の一部が開口部５２から外部に露出している。
外側ケース部材４２が内側に折り曲げられた角度θ１は、内側ケース部材４３が外側に折り曲げられた角度θ２よりも大きい。
【００１３】
右シール機構４１は、外側ケース部材５５、内側ケース部材５６、押圧部材４５、シール部材５４、スプリング４６、ボルト４７、ナット４８、ボルト４９、ナット５０を備えている。外側ケース部材５５と内側ケース部材５６によって、それらで囲まれるとともに、上下方向に延びるスリット状の開口部５７を持つ内部空間５８が形成されている。
シール部材５４はローラ状に形成されており、押圧部材４５を介してスプリング４６に付勢された状態で、その外周面の一部が開口部５７から外部に露出している。
外側ケース部材５５が内側に折り曲げられた角度θ３は、内側ケース部材５６が外側に折り曲げられた角度θ４よりも小さい。
右シール機構４１の他の構成は、左シール機構４０と同様なので、これ以上の説明は省略する。
【００１４】
左シール機構４０のシール部材４４の軸Ｃ１は、スプリング４６によって右防音扉２９側に付勢されながら（押圧されながら）内部空間５１内で移動することができる。同様に、右シール機構４１のシール部材５４の軸Ｃ２も、スプリング４６によって左防音扉２８側に付勢されながら内部空間５８内で移動することができる。このため、防音扉２８、２９が閉じられると、接触したシール部材４４とシール部材４５は、外周面同士が軸方向に沿って密着する位置まで移動し、その状態で安定する。シール部材４４とシール部材４５が密着すると、高い防音効果が得られる。図４では、シール部材４４は、その外周面が開口部５２の外側端部とシール部材５４に接触した状態で安定している。シール部材５４は、その外周面が開口部５７の内側端部とシール部材４４に接触した状態で安定している。
図５は、防音扉２９が閉じられ、防音扉２８が開かれた状態を図示している。左シール機構４０の外側ケース部材４２と内側ケース部材４３が形成する開口部５２の幅は、シール部材４４の直径よりも小さい。外側ケース部材５５と内側ケース部材５６が形成する開口部５７の幅は、シール部材５４の直径よりも小さい。よって、防音扉２８が開かれ、シール部材４４とシール部材５４との接触が解除されても、シール部材４４が左シール機構４０から抜け出してしまうのと、シール部材５４が右シール機構４１から抜け出してしまうのが防止されている。従って、左シール機構４０のシール部材４４は、スプリング４６に付勢されて、開口部５２の両端部に接触した状態で安定する。同様に、右シール機構４１のシール部材５４も、スプリング４６に付勢されて、開口部５７の両端部に接触した状態で安定する。防音扉２８を閉じるときには、防音扉２８を矢印５９方向に移動させる。
シール部材は、金属製であってもよいが、自己潤滑可能な樹脂製（例えば、ポリエチレン樹脂や、ポリアミド樹脂）であることが好ましい。金属製のシール部材よりも樹脂製のシール部材の方が、互いの外周面が接触したときに、その接触部分の形状がより馴染みやすいので、より良く密着する。
閉じられた防音扉２３〜３２の上端と下端は、ゴムシールによってシールされる。
【００１５】
既に説明したように、左シール機構４０の外側ケース部材４２の角度θ１は、内側ケース部材４３の角度θ２よりも大きい。右シール機構４１の外側ケース部材５５の角度θ３は、内側ケース部材５６の角度θ４よりも小さい。このため、図４に示すように、左シール機構４０のシール部材４４と右シール機構４１のシール部材５４は、それぞれの軸Ｃ１と軸Ｃ２が防音扉２８、２９の開閉方向に対して偏心した状態で密着する。軸Ｃ１と軸Ｃ２が偏心していると、防音扉２８、２９の開閉方向に延びる線６１に対して、シール部材４４とシール部材５４の接触点を通る接線（線６０）が傾斜する（線６１と線６０がなす傾斜角度をθ５とする）。線６０と線６１が傾斜していると、シール部材４４、５４の接触部を伝搬するプレス機１２の騒音がより減衰する。このように騒音が減衰するのは、騒音伝搬経路が扉開閉方向に直線状に延びておらず、折れ曲がっている回折減衰の要素が加わるからである。騒音伝搬経路が折れ曲がっていると、プレス機１２が動作することによる振動でシール部材４４、４５間に隙間が瞬間的に生じても、騒音を小さくすることができる。
【００１６】
シール部材４４、５４の接触部を伝搬する騒音は、線６１と線６０がなす傾斜角度θ５が大きくなるほど、大きく減衰する。図６は、図４に図示したよりも角度θ１と角度θ２の角度差、および角度θ３と角度θ４の角度差が大きい場合を図示している。このようにすると、傾斜角度θ５がより大きくなり、騒音をより減衰させることができる。
図７に示すように、角度θ１、θ２、θ３、θ４が同角度になるように、外側ケース部材４２、内側ケース部材４３、外側ケース部材５５、内側ケース部材５６を形成し、左シール機構４０と右シール機構４１を扉開閉方向にズレるように配置することもできる。このように構成しても、傾斜角度θ５を設けることができるので、騒音を効果的に減衰させることができる。さらには、外側ケース部材４２と外側ケース部材５５、および内側ケース部材４３と内側ケース部材５６を共通化することができるので、コスト低減が可能になる。
シール部材４４、４５はローラ状なので防音扉２８、２９が開閉されるときに、軸廻りに回転することができる。このため、防音扉２８、２９を開閉する力が低減される。
図８に示すように、右防音扉２９に右シール機構４１を装着せず、単にシール面６４を形成することもできる。このように構成しても、シール部材４４は、その外周面が軸方向に沿ってシール面６４と密着する位置まで移動し、その状態で安定する。また、図１３に示すように、シール面６４をθ６だけ傾斜させることもできる。この構成では、シール部材４４は、その外周面がシール面６４と密着する位置まで移動して、接触線を通る接線が傾斜し、その状態で安定する。
【００１７】
図９は、防音扉２４、２５、２６、２７、２８の断面を図示している。以下においては、説明の便宜上、防音扉２５、２６、２７のそれぞれを、左防音扉２５、中央防音扉２６、右防音扉２７と呼ぶ。防音扉２５、２６、２７には、上述したシール機構４０、４１と同様な構成を有するシール機構が装着されている。左防音扉２５の左側部には、第１シール機構７４が装着されており、右側部には第２シール機構７５が装着されている。第１シール機構７４は第１シール部材８０を備えており、第２シール機構７５は第２シール部材８１を備えている。中央防音扉２６の左側部には、第３シール機構７６が装着されており、右側部には第４シール機構７７が装着されている。第３シール機構７６は第３シール部材８２を備えており、第４シール機構７７は第４シール部材８３を備えている。右防音扉２７の左側部には、第５シール機構７８が装着されており、右側部には第６シール機構７９が装着されている。第５シール機構７８は第５シール部材８４を備えており、第６シール機構７９は第６シール部材８５を備えている。中央防音扉２６の第３シール機構７６の第３シール部材８２と、第４シール機構７７の第４シール部材８３は、第３シール部材８２が第４シール部材８３よりも内側（プレス機１１側）に配置された状態で扉開閉方向に偏心している。第１シール部材８０と第２シール部材８１、および第５シール部材８４と第６シール部材８５も、第３シール部材８２と第４シール部材８３と同様に扉開閉方向に偏心している。従って、防音扉の一方側（左側）のシール部材は接触する相手側のシール部材よりも内側に配置され、他方側（右側）のシール部材は接触する相手側のシール部材よりも外側に配置される。例えば、中央防音扉２６の第３シール機構７６の第３シール部材８２は、左防音扉２５の第２シール機構の第２シール部材８１よりも内側に配置される。中央防音扉２６の第４シール機構７７の第４シール部材８３は、右防音扉２７の第５シール機構７８の第５シール部材８４よりも外側に配置される。
【００１８】
上述したように、第３シール部材８２は第２シール部材８１よりも内側に配置されている。このため、中央防音扉２６が開かれるときには、第３シール部材８２は第２シール部材８１を一旦乗り越えなければならない。第４シール部材８３は第５シール部材８４よりも外側に配置されている。このため、第４シール部材８３と第５シール部材８４は、中央防音扉２６に開方向の力を作用させている。従って、中央防音扉２６を開こうとする使用者は、第３シール部材８２が第２シール部材８１を一旦乗り越えるための力と、第４シール部材８３と第５シール部材８４が開方向に作用させている力の合力で中央防音扉２６を引かなければならない。このような力関係は防音扉２５、２７についても同じである。よって、防音扉２５、２６、２７を開く力が共通化される。
【００１９】
図１０に示す形態では、中央防音扉２６の第３シール機構７６の第３シール部材８２と、第４シール機構７７の第４シール部材８３は、扉開閉方向に偏心していない。同様に、第１シール部材８０と第２シール部材８１、および第５シール部材８４と第６シール部材８５も扉開閉方向に偏心していない。第１シール部材８０と第２シール部材８１、第５シール部材８４と第６シール部材８５は、第３シール部材８２と第４シール部材８３よりも外側に配置されている。このように構成されていると、左防音扉２５と右防音扉２７は小さな力を加えて開けることができるが、中央防音扉２６は大きな力を加えないと開けることができない。すなわち、このような構成では、開けるのが重い防音扉と、開けるのが軽い防音扉が併存することになる。開けるのが重い防音扉と、開けるのが軽い防音扉が併存すると、防音扉を開けるときに、使用者が戸惑ってしまう。図９に示されている構成では、防音扉を開く力が共通化されているので、使用者がこのような戸惑いを感じてしまうのが防止されている。もちろん、図１０に示す構成であっても、シール部材同士は十分に密着するので、プレス機１１の騒音を効果的に減衰させることができる。
【００２０】
図１１は、図４に示す形態で実測した騒音レベルと、従来の騒音レベルを比較したグラフである。横軸は１／１オクターブ中心周波数（Ｈｚ）であり、縦軸は等価騒音レベル（ｄＢ）である。本図中の記載されたＡＰとは、オールパス値の略称であり、各周波数帯でのｄＢ値の合計値を意味する。このグラフから明らかなように、５００〜８０００（Ｈｚ）の高周波領域で特に騒音減衰効果があり、ＡＰ値で約３（ｄＢ）という大幅な騒音低減を実現することができた。
【００２１】
本実施例で例示したシール機構は、防音扉間の防音に用いるだけではなく、防音扉とその周辺部材（例えば、防音壁本体）の防音に適用することもできる。さらには、観音扉として開閉する２枚の防音扉間に、本実施例で例示したシール機構を用いることもできる。
図１２に示すように、枠９２と、枠９２に対してスライドする引き戸式防音壁９３に、シール機構９４、９５を適用することもできる。
【００２２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００２３】
【図１】防音壁の正面図。
【図２】図１のII−II線断面図。
【図３】図１のIII部詳細図（シール機構が隣合った状態の縦断面図）。
【図４】図３のIV−IV線断面図（防音扉閉状態）。
【図５】シール機構の断面図（防音扉開状態）。
【図６】シール機構の断面図（防音扉閉状態）。
【図７】同上。
【図８】同上。
【図９】複数の防音扉が閉じた状態の断面図。
【図１０】同上。
【図１１】騒音レベルの実測値をまとめたグラフ。
【図１２】シール機構を引き戸に適用した場合の断面図。
【図１３】シール機構の断面図（防音扉閉状態）。
【図１４】従来の技術に係るシール機構の断面図。
【符号の説明】
【００２４】
１１：プレス機
１２：防音壁、１２ａ：防音壁本体
１３、１４：ドア
１５：取っ手
１６、１７：窓
１８：ヒンジ
２０：ワーク収容箱
２１：シュート
２３〜３２：防音扉
４０：左シール機構
４１：右シール機構
４２：外側ケース部材
４３：内側ケース部材
４４：シール部材
４５：押圧部材
４６：スプリング
４７、４９：ボルト
４８、５０：ナット
５１：内部空間
５２：開口部
５４：シール部材
５５：外側ケース部材
５６：内側ケース部材
５７：開口部
５８：内部空間
５９：防音扉の閉方向を示す矢印
６０：シール部材同士の接触点を通る接線
６１：防音扉の開閉方向に延びる線
６４：シール面
７４：第１シール機構
７５：第２シール機構
７６：第３シール機構
７７：第４シール機構
７８：第５シール機構
７９：第６シール機構
８０：第１シール部材
８１：第２シール部材
８２：第３シール部材
８３：第４シール部材
８４：第５シール部材
８５：第６シール部材
９２：枠
９３：引き戸
９４、９５：シール機構
【図１】
2005305478.tif 000003
【図２】
2005305478.tif 000004
【図３】
2005305478.tif 000005
【図４】
2005305478.tif 000006
【図５】
2005305478.tif 000007
【図６】
2005305478.tif 000008
【図７】
2005305478.tif 000009
【図８】
2005305478.tif 000010
【図９】
2005305478.tif 000011
【図１０】
2005305478.tif 000012
【図１１】
2005305478.tif 000013
【図１２】
2005305478.tif 000014
【図１３】
2005305478.tif 000015
【図１４】
2005305478.tif 000016